(57)【要約】【課題】  映像獲得装置が撮影して獲得した映像の色を補正する表示装置及び色補正方法を提供する。【解決手段】  本発明の一実施例に係る表示装置は、映像獲得装置と；基準色標準を表示し、前記映像獲得装置が前記基準色標準を撮影して獲得した色標準を画面に表示する表示部と；前記表示部の画面に表示される前記撮影して獲得した色標準の色を測定する測色部と；前記測色部が測定した色情報を用いて、前記映像獲得装置が撮影して獲得した映像の色を補正する色補正部と；を含む。【選択図】      図１
2013141245.tif 000002
【特許請求の範囲】
【請求項１】
映像獲得部と、
基準色標準を表示し、前記映像獲得部が前記基準色標準を撮影して獲得した色標準を画面に表示する表示ユニットと、
前記表示ユニットの画面に表示される前記撮影して獲得した色標準の色を測定する測色部と、
前記測色部が測定した色情報を用いて、前記映像獲得部が撮影して獲得した映像の色を補正する色補正部と、を含む、表示装置。
【請求項２】
前記表示ユニットは、前記映像獲得部が撮影する基準色標準と前記測色部が色を測定する色標準とを画面の互いに異なる位置に表示する、請求項１に記載の表示装置。
【請求項３】
前記色補正部は、前記映像獲得部が撮影して獲得した色標準の色を補正し、前記表示ユニットは、前記色を補正した色標準を画面に表示する、請求項２に記載の表示装置。
【請求項４】
ネットワークを介して、前記色を補正した映像を伝送する映像送信部をさらに含む、請求項３に記載の表示装置。
【請求項５】
前記映像送信部は、前記色を補正した映像をＭｏＩＰのプロトコルを用いて伝送する、請求項４に記載の表示装置。
【請求項６】
前記表示ユニットは、前記映像獲得部が撮影して獲得した被写体の映像を画面に表示し、
前記色補正部は、ユーザの入力によって、前記獲得された被写体の映像の色を補正する、請求項１に記載の表示装置。
【請求項７】
前記表示ユニットは、前記色を補正した被写体の映像を画面に表示する、請求項６に記載の表示装置。
【請求項８】
前記色補正部は、予め格納されたプロファイル情報のうち、ユーザが選択するプロファイル情報によって色を補正する、請求項７に記載の表示装置。
【請求項９】
前記色補正部は、輝度、色域、ガンマレベル、色温度情報のうち少なくとも一つを含むユーザの入力によって色を補正する、請求項７に記載の表示装置。
【請求項１０】
基準色標準を表示ユニットの画面に表示し、映像獲得部が前記基準色標準を撮影するステップと、
前記映像獲得部が撮影して獲得した色標準を表示ユニットの画面に表示し、前記画面に表示される前記撮影して獲得した色標準の色を測定するステップと、
前記測定した色情報を用いて、前記映像獲得部が撮影して獲得した映像の色を補正するステップと、を含む、表示装置の色補正方法。
【請求項１１】
前記基準色標準を撮影するステップは、前記表示ユニットの画面の一側の位置に前記基準色標準を表示し、
前記色標準の色を測定するステップは、前記表示ユニットの画面の他側の位置に前記色標準を表示する、請求項１０に記載の表示装置の色補正方法。
【請求項１２】
前記被写体を撮影し、
前記撮影して獲得された被写体の映像を表示ユニットの画面に表示し、
ユーザの入力によって、前記獲得された被写体の映像の色を補正し、
前記色が補正された被写体の映像を前記表示ユニットの画面に表示することをさらに含む、請求項１０に記載の表示装置の色補正方法。
【請求項１３】
ネットワークを介して、前記色を補正した被写体の映像を伝送することをさらに含む、請求項１２に記載の表示装置の色補正方法。
【請求項１４】
前記被写体の映像の色を補正することは、
予め格納されたプロファイル情報のうち、ユーザが選択するプロファイル情報によって色を補正することを含む、請求項１２に記載の表示装置の色補正方法。
【請求項１５】
前記被写体の映像の色を補正することは、
輝度、色域、ガンマレベル、色温度のうち少なくとも一つを含むユーザの入力によって色を補正することを含む、請求項１２に記載の表示装置の色補正方法。
【発明の詳細な説明】
【技術分野】
【０００１】
本発明の実施例は、映像獲得装置を備えて、映像獲得装置が撮影して獲得した映像を画面に表示したり、ネットワークを介して伝送する表示装置及び色補正方法に関する。
【背景技術】
【０００２】
表示装置は、入力される映像信号に基づいて映像を表示する装置であって、最近には、ネットワークを介して映像データを送受信する遠隔映像伝送を支援することもある。これによって、表示装置は、ネットワークを介して他の表示装置、パーソナルコンピュータ、または移動通信端末などに遠隔で映像を伝送することができる。
【０００３】
また、最近には、表示装置がトゥルーカラー（ｔｒｕｅ  ｃｏｌｏｒ）を再現できるように、表示装置が表示する映像の色を補正する技術が普及しており、その例は次の通りである。まず、表示装置の画面にはカラーパッチ（ｃｏｌｏｒ  ｐａｔｃｈ）が表示される。また、表示装置の画面上には、色センサが表示装置の画面と接して位置する。また、画面に表示される映像の任意の領域の色が色センサにより測定される。その後、測定された色情報は、色センサ、または表示装置と接続されたパーソナルコンピュータなどに伝送され、ユーザは、色センサが測定した映像の色情報に基づいて表示装置の色を補正する。しかし、カメラなどの映像獲得装置を備える表示装置の場合、表示装置の画面に表示される映像の色を補正する機能は含むが、映像獲得装置が撮影して獲得した映像の色を補正する機能は含んでいない。そのため、映像獲得装置を備える表示装置において、映像獲得装置が撮影して獲得した映像をネットワークを介して他の表示装置などに伝送する場合、その映像を受信する相手の表示装置などは実際の色と異なる色の映像を再現するようになり得る。
【発明の概要】
【発明が解決しようとする課題】
【０００４】
本発明の一側面は、映像獲得装置が撮影して獲得した映像の色を補正する表示装置及び色補正方法を提供する。
【課題を解決するための手段】
【０００５】
実施例による表示装置は、映像獲得装置と；基準色標準を表示し、前記映像獲得装置が前記基準色標準を撮影して獲得した色標準を画面に表示する表示部と；前記表示部の画面に表示される前記撮影して獲得した色標準の色を測定する測色部と；前記測色部が測定した色情報を用いて、前記映像獲得装置が撮影する映像の色を補正する色補正部と；を含む。
【０００６】
また、前記表示部は、前記映像獲得装置が撮影する基準色標準と前記測色部が色を測定する色標準とを互いに異なる位置に表示する。
【０００７】
また、前記色補正部は、前記映像獲得装置が撮影して獲得した色標準の色を補正し、前記表示部は、前記色を補正した色標準を画面に表示する。
【０００８】
また、ネットワークを介して、前記色を補正した映像を伝送する映像送信部をさらに含むことができる。また、前記映像送信部は、前記色を補正した映像をＭｏＩＰのプロトコルを用いて伝送することができる。
【０００９】
他の実施例に係る表示装置は、映像獲得装置と；前記映像獲得装置が撮影して獲得した被写体の映像を画面に表示する表示部と；ユーザの入力によって、前記映像獲得装置が撮影して獲得した被写体の映像の色を補正する色補正部と；を含む。
【００１０】
また、前記表示部は、前記色を補正した被写体の映像を画面に表示する。また、ネットワークを介して、前記色を補正した被写体の映像を伝送する映像送信部をさらに含むことができる。
【００１１】
また、前記色補正部は、予め格納されたプロファイル情報のうち、ユーザが選択するプロファイル情報によって色を補正する。また、前記色補正部は、輝度、色域、ガンマ、色温度情報のうち少なくとも一つを含むユーザの入力によって色を補正する。
【００１２】
また、前記映像送信部は、前記色を補正した被写体の映像を、ＭｏＩＰのプロトコルを用いて伝送することができる。
【００１３】
他の実施例に係る表示装置の色補正方法は、基準色標準を表示部の画面に表示し、映像獲得装置が前記基準色標準を撮影するステップと；前記映像獲得装置が撮影して獲得した色標準を表示部の画面に表示し、前記画面に表示される前記撮影して獲得した色標準の色を測定するステップと；前記測定した色情報を用いて、前記映像獲得装置が撮影した映像の色を補正するステップと；を含む。
【００１４】
また、前記基準色標準を撮影するステップは、前記表示部の一側の位置に前記基準色標準を表示し、前記色標準の色を測定するステップは、前記表示部の他側の位置に前記色標準を表示する。また、前記映像獲得装置が撮影して獲得した色標準の色を補正し、前記色を補正した色標準を前記表示部の画面に表示するステップをさらに含む。
【００１５】
また、ネットワークを介して、前記色を補正した映像を伝送するステップをさらに含むことができる。また、前記色を補正した映像を伝送するステップは、前記色を補正した映像をＭｏＩＰのプロトコルを用いて伝送することができる。
【００１６】
他の実施例に係る表示装置の色補正方法は、映像獲得装置が被写体を撮影するステップと；前記映像獲得装置が撮影して獲得した被写体の映像を表示部の画面に表示するステップと；ユーザの入力によって、前記映像獲得装置が撮影して獲得した被写体の映像の色を補正するステップと；を含む。
【００１７】
また、前記色を補正した被写体の映像を前記表示部の画面に表示するステップをさらに含む。また、ネットワークを介して、前記色を補正した被写体の映像を伝送するステップをさらに含むことができる。
【００１８】
また、前記被写体の映像の色を補正するステップは、予め格納されたプロファイル情報のうち、ユーザが選択するプロファイル情報によって色を補正する。また、前記被写体の映像の色を補正するステップは、輝度、色域、ガンマレベル、色温度のうち少なくとも一つを含むユーザの入力によって色を補正する。また、前記色を補正した被写体の映像を伝送するステップは、前記色を補正した被写体の映像をＭｏＩＰのプロトコルを用いて伝送することができる。
【００１９】
実施例は、基準色標準及び色標準を表示する表示部と；色標準の色を測定する測色部と；測色部が測定した色情報を用いて、獲得された映像の色を補正する色補正部とを含む表示装置をさらに含むことができる。
【００２０】
実施例は、映像獲得装置をさらに含むことができ、色標準は、映像獲得装置を通じて基準色標準を撮影して獲得される。色補正部によって補正された映像は、映像獲得装置によって獲得され得る。映像送信部は、ネットワークを介して、色が補正された映像を伝送することができる。
【発明の効果】
【００２１】
上述した本発明の一側面によれば、映像獲得装置が撮影して獲得した映像の色が実際の色を再現できるように補正されるので、映像獲得装置が撮影して獲得した映像をネットワークを介して他の表示装置などに伝送する場合、これを受信する相手の表示装置などが実際の色の映像を再現することができる。また、表示装置のユーザは、映像獲得装置が撮影して獲得した映像をリアルタイムで確認しながら、映像獲得装置が撮影して獲得した映像の色が、肉眼で見られる実際の色と一致するように補正することができる。
【図面の簡単な説明】
【００２２】
【図１】本発明の一実施例に係る表示装置の構成を示すブロック図である。
【図２】本発明の一実施例に係る表示装置の色補正過程を概略的に示す図である。
【図３】本発明の一実施例に係る表示装置の色補正方法を概略的に示すフローチャートである。
【図４】本発明の他の一実施例に係る表示装置の色補正過程を概略的に示す図である。
【図５】本発明の他の一実施例に係る表示装置の色補正過程を概略的に示す図である。
【図６】本発明の他の一実施例に係る表示装置の色補正方法を概略的に示すフローチャートである。
【図７】図６の表示装置のユーザからプロファイル情報の入力を受ける過程を概略的に示す図である。
【図８】図６の表示装置のユーザからプロファイル情報の入力を受ける過程を概略的に示す図である。
【発明を実施するための形態】
【００２３】
以下では、添付の図面を参照して本発明を詳細に説明する。
【００２４】
図１は、本発明の一実施例に係る表示装置１の構成を示すブロック図である。図１を参照すると、表示装置１は、プロファイル（ｐｒｏｆｉｌｅ）情報が入力される入力部１１０、被写体を撮影する映像獲得装置１２０、色を測定する測色部１３０、色及びプロファイル情報を格納するメモリ部１４０、プロファイルを生成する色補正部１５０、全般的な動作を制御する制御部１６０、表示部１８０を駆動する駆動部１７０、映像を表示する表示部１８０、及び映像を伝送する映像送信部１９０を含んで構成される。
【００２５】
入力部１１０は、ユーザからプロファイル情報の入力を受け、入力されたプロファイル情報を色補正部１５０に伝送する。入力部１１０は、ユーザからプロファイル情報を受信するために、クリックできるボタンまたはタッチパネルなどで構成される。一方、クリックできるボタンまたはタッチパネルなどは、表示装置１の外観に形成したり、表示装置１に適用されるリモコンに形成してもよい。
【００２６】
映像獲得装置１２０は、任意の被写体を撮影したり、表示部１８０の画面１０に表示される映像を撮影して獲得する。そのために、映像獲得装置１２０は、ＣＭＯＳセンサまたはＣＣＤセンサなどのイメージセンサで構成される。そして、映像獲得装置１２０は、撮影して獲得した映像信号を色補正部１５０に伝送する。
【００２７】
測色部１３０は、表示部１８０の画面１０に表示される映像の色を測定する。そのために、測色部１３０は、色を測定する色センサで構成してもよい。また、測色部１３０は、画面１０に表示される映像の色の三刺激値（Ｘ、Ｙ、Ｚ）などを測定する。また、測色部１３０は、測定した三刺激値を色補正部１５０に伝送する。
【００２８】
メモリ部１４０は、格納空間のためにＤＲＡＭ、ＥＥＰＲＯＭなどのメモリ装置で構成され、色及びプロファイル情報を格納する。メモリ部１４０が格納するプロファイル情報は、色補正部１５０が生成したプロファイル情報、または一般的な表示部１８０の色を再現するプロファイル情報であってもよい。ここで、一般的な表示部１８０の色を再現するプロファイルは、表示部１８０が最適の条件ではない一般的な条件を満足して色を再現するようにするプロファイルを含むことができる。一方、メモリ部１４０は、色補正部１５０と物理的に連結されていたり、表示装置１の内部に別途に分離されて備えられてもよい。
【００２９】
色補正部１５０は、測色部１３０が測定した色を用いてプロファイルを生成し、前記プロファイルを用いて映像の色を補正する。ここで、色補正部１５０が色を補正する映像には、表示装置１に入力されて表示部１８０の画面１０に表示される映像の他に、映像獲得装置１２０が撮影してネットワークを介して伝送される映像が含まれる。また、色補正部１５０は、表示装置１に内蔵される形態で備えたり、表示装置１と連結されて外装される形態で備えてもよい。色補正部１５０は、外装される形態で備えられる場合、例えば、パーソナルコンピュータなどにおいてハードウェアまたはソフトウェアの形態で存在することができる。この場合、パーソナルコンピュータなどは、表示装置１と通信インタフェースを備えることができ、通信インタフェースを介して、映像獲得装置１２０が獲得した映像信号、測色部１３０が測定した色、ユーザが入力するプロファイル情報などを受信する。
【００３０】
色補正部１５０は、測色部１３０が測定した色情報を受信し、実際の色情報と固有の色情報との偏差を算出する。そのために、固有の色情報は、色補正部１５０に予め格納されたり、メモリ部１４０に予め格納されてもよい。また、色補正部１５０は、算出された色情報の偏差を用いて、表示部１８０に最適化された色を再現するプロファイルを生成する。プロファイルは、任意の表示部１８０に一般的に適用可能なＩＣＣ（Ｉｎｔｅｒｎａｔｉｏｎａｌ  Ｃｏｌｏｒ  Ｃｏｎｓｏｒｔｉｕｍ）ファイルまたはＩＣＭ（Ｉｍａｇｅ  Ｃｏｌｏｒ  Ｍａｔｃｈｉｎｇ）ファイルのことをいう。ＩＣＣファイルまたはＩＣＭファイルは、モニタなどの表示部１８０の色特性を示すデータファイルであって、一般に、表示部１８０が実際の色を表示するようにするプロファイルのことをいう。
【００３１】
制御部１６０は、色補正部１５０から色が補正された映像信号を受信する。また、制御部１６０は、色が補正された映像信号を駆動部１７０または映像送信部１９０に伝送する。また、制御部１６０は、駆動部１７０を通じて表示部１８０を駆動し、駆動部１７０は、制御部１６０の制御命令に応じて表示部１８０に駆動電圧などを供給して、表示部１８０の画面１０に色が補正された映像が表示されるようにする。
【００３２】
表示部１８０は、画面１０に映像を表示する。表示部１８０の画面１０に表示される映像は、外部から送信されて表示装置１に受信される映像信号の他に、映像獲得装置１２０が撮影して伝送した映像信号を含む。そのために、表示部１８０は、ＬＣＤ、ＰＤＰ、ＣＲＴ、ＯＬＥＤなどのディスプレイパネルで構成される。また、表示部１８０は、標準色空間としてｓＲＧＢ（ｓｔａｎｄａｒｄ  ＲＧＢ）を支援することができ、これによって、表示部１８０の画面１０に表示された映像のＲ、Ｇ、Ｂ値は、対応するＸ、Ｙ、Ｚ値として測定され得る。
【００３３】
一方、表示部１８０と映像獲得装置１２０は、電気的、物理的、光学的特性などにより多様な色再現特性を有し、実際の色を表示するために色の補正が要求される。そのために、表示部１８０は、制御部１６０の制御命令に応じて予め決まった映像を画面１０に表示し、画面１０に表示される映像の任意の領域の色が測色部１３０により測定される。
【００３４】
映像送信部１９０は、制御部１６０から受信した映像信号をネットワークを介して伝送する。映像送信部１９０は、受信した映像信号を伝送する前に、受信した映像信号に対して前処理、エンコーディング、パケット化などを行い、ネットワークを介して伝送する。ここで、ネットワークは、一例として、ＭｏＩＰ（Ｍｕｌｔｉｍｅｄｉａ  ｏｖｅｒ  Ｉｎｔｅｒｎｅｔ  Ｐｒｏｔｏｃｏｌ）のプロトコルを用いることができる。
【００３５】
図２は、本発明の一実施例による表示装置の色補正過程を概略的に示す図である。図２を参照すると、表示装置１の表示部の画面には予め決まった基準色標準が表示される。また、映像獲得装置１２０によって、表示部の画面１３に表示される基準色標準が撮影される。また、映像獲得装置１２０が撮影して獲得した色標準は表示部に伝送され、表示部の画面１２に表示される。表示部は、映像獲得装置が撮影する基準色標準と測色部が色を測定する色標準を互いに異なる位置に表示することができる。
【００３６】
これによって、表示部の画面１０は、複数の領域に分割され、表示部の一側の位置、例えば、左側画面１３に基準色標準を表示することができる。また、表示部の他側の位置、例えば、右側画面１２上には測色部１３０が位置する。また、測色部１３０によって、画面１０の右側画面１２に表示される映像の任意の領域１１の色が測定される。すなわち、測色部１３０によって、映像獲得装置１２０が撮影して獲得した色標準の色が測定される。測色部１３０は、撮影して獲得した色標準の色の三刺激値を測定することができる。
【００３７】
一方、測色部１３０は表示装置１の内部に設置され、表示装置の内部で、表示装置１の表示部が表示する映像を測定することができる。また、イメージセンサで構成される映像獲得装置１２０も表示装置１の外観に内蔵されて設置され、屈折、反射などを通じて、表示部が表示する映像を撮影することができる。
【００３８】
図２では、表示部の画面１０に表示される色標準を映像獲得装置１２０が撮影し、映像獲得装置１２０が撮影して獲得した色標準を再び表示部の画面１０に表示するために、表示部の画面１０を複数の領域に分割したが、その他にも、表示部の画面１０を時間別、空間別に分割して用いることができる。
【００３９】
図３は、本発明の一実施例による表示装置の色補正方法を概略的に示すフローチャートである。図３を参照すると、表示装置１の色補正方法は、映像獲得装置１２０を用いて色標準を撮影し、撮影して獲得した色標準の色を測定し、測定した色情報を用いて映像の色を補正するステップなどを含んで構成される。
【００４０】
まず、表示部１８０は、制御部１６０から受信された制御命令に応じて予め決まった色標準を画面１０に表示する（Ｓ３１０）。色標準は、任意の色に対するパッチ（ｐａｔｃｈ）で構成される。ここで、色標準は、表示部１８０、または映像獲得装置１２０の色補正において基準になる色を有するカラーパッチ（ｃｏｌｏｒ  ｐａｔｃｈ）のことをいう。これによって、色標準は、任意の色に対する固有の色を有し、固有の色は数値化されて存在する。
【００４１】
次に、映像獲得装置１２０が、前記予め決まった色標準を撮影して獲得する（Ｓ３２０）。すなわち、映像獲得装置１２０は、表示部１８０の画面１０に表示される色標準を撮影し、撮影して獲得した色標準の映像信号を色補正部１５０に伝送する。
【００４２】
次に、映像獲得装置１２０が基準色標準を撮影して獲得した色標準を表示部１８０の画面１０に表示する（Ｓ３３０）。色補正部１５０を通じて、映像獲得装置１２０が基準色標準を撮影して獲得した色標準の映像信号が制御部１６０に伝送され、制御部１６０は、表示部１８０を駆動して、映像獲得装置１２０が基準色標準を撮影して獲得した色標準の映像が画面１０に表示されるようにする。
【００４３】
次に、表示部１８０の画面１０に表示される、映像獲得装置１２０が基準色標準を撮影して獲得した色標準の色を測定する（Ｓ３４０）。映像獲得装置１２０が基準色標準を撮影して獲得した色標準の色は測色部１３０により測定され、測色部１３０が測定した色標準の色が実際の色であり得る。
【００４４】
次に、測色部１３０が測定した実際の色を用いて、映像獲得装置１２０が撮影して獲得した映像の色を補正するプロファイルを生成する（Ｓ３５０）。色補正部１５０は、測色部１３０が測定した色情報を受信し、実際の色情報と固有の色情報との偏差を算出する。また、色補正部１５０は、算出された色情報の偏差を用いて、表示部１８０に最適化された色を再現するプロファイルを生成する。ここで、生成するプロファイルは、表示部１８０が最適化された色を再現するようにするためであり、それだけでなく、映像獲得装置１２０が撮影して獲得した映像が最適化された色を再現するように補正し、ネットワークを介して伝送するためである。
【００４５】
次に、色補正部１５０は、生成したプロファイルを用いて、映像獲得装置１２０が撮影するようになる映像の色を補正する（Ｓ３６０）。すなわち、色補正部１５０は、映像獲得装置１２０から受信される映像信号に対して、前記プロファイルを用いて色を補正する。これによって、映像獲得装置１２０が撮影して獲得した映像は、実際の色を再現するようになる。
【００４６】
一方、色補正部１５０は、映像獲得装置１２０が撮影して獲得した色標準の色を補正し、色を補正した色標準の映像が表示部１８０の画面１０に表示され得る。また、表示部１８０の画面１０に表示される予め決まった色標準と色標準の映像がほぼ一致する場合、ユーザの入力によって、色補正部１５０が生成したプロファイルを決定することができる。さらに、色補正部１５０が生成したプロファイルは、メモリ部１４０に格納され、以降にユーザがメニューを通じてプロファイルの設定を選択することができる。
【００４７】
その後、ネットワークを介して、色を補正した映像を伝送することができる（Ｓ３７０）。このとき、映像送信部１９０は、色が補正された映像信号に対して、前処理、エンコーディング、パケット化などを行い、ＭｏＩＰのプロトコルを用いてネットワークを介して伝送することができる。
【００４８】
図４及び図５は、本発明の他の一実施例に係る表示装置の色補正過程を概略的に示す図である。図４及び図５を参照すると、映像獲得装置１２０によって被写体４０，５０が撮影される。次に、映像獲得装置１２０が撮影して獲得した被写体４０，５０の映像は表示部に伝送され、表示部の画面１０の任意の領域に表示される。
【００４９】
被写体は、図４に示したように、例えば、身体の特定部位４０であってもよい。図４に示した実施例は、遠隔診療システムなどに適用される場合である。映像獲得装置１２０が撮影して獲得した映像が身体の実際の色を再現するように色を補正し、色を補正した身体部位の映像をネットワークを介して伝送する。これによって、医師などの専門家は患者の特定の身体部位の実際の色を確認できるので、遠隔診療の正確性及び信頼性を高めることができる。
【００５０】
また、被写体は、図５に示したように、例えば、特定の商品５０であってもよい。図５に示した実施例は、ホームショッピングなどに適用される場合である。映像獲得装置１２０が撮影して獲得した映像が商品の実際の色を再現するように色を補正し、色を補正した商品の映像をネットワークを介して伝送する。これによって、消費者は、商品の実際の色を確認して購買できるので、色差に起因するトラブルを未然に防止することができる。
【００５１】
一方、映像獲得装置１２０によって被写体が直接撮影される場合には、測色部１３０が用いられない。表示部の画面１０には、映像獲得装置１２０が撮影して獲得した被写体の映像１４，１５が表示され、ユーザは、入力部１１０を通じて、メモリ部１４０に予め格納されたプロファイル情報を選択したり、輝度（ｌｕｍｉｎａｎｃｅ）、色域（ｃｏｌｏｒ  ｇａｍｕｔ）、ガンマ（ｇａｍｍａ）、色温度（ｗｈｉｔｅ  ｂａｌａｎｃｅ）のうち少なくとも一つを含む情報を入力することができる。色補正部１５０は、ユーザの入力によって、映像獲得装置１２０が撮影して獲得した映像の色を補正するプロファイルを生成する。このとき、生成されるプロファイルは、輝度、色域、ガンマ、色温度などの情報を含む。
【００５２】
色補正部１５０が生成したプロファイルはメモリ部１４０に格納され、以降にユーザがメニューを通じてプロファイルの設定を選択することができる。
【００５３】
図６は、本発明の他の一実施例に係る表示装置の色補正方法を概略的に示すフローチャートである。図６を参照すると、表示装置１の色補正方法は、映像獲得装置１２０を用いて被写体４０，５０を撮影し、映像獲得装置１２０が撮影して獲得した映像を表示部１８０の画面１０に表示し、ユーザの入力によって映像の色を補正することを含む。
【００５４】
まず、映像獲得装置１２０が被写体４０，５０を撮影して獲得する（Ｓ６１０）。すなわち、映像獲得装置１２０は、ユーザが予め指定した任意の被写体４０，５０を撮影し、撮影して獲得した被写体の映像信号を色補正部１５０に伝送する。
【００５５】
次に、映像獲得装置１２０が撮影して獲得した被写体の映像を表示部１８０の画面１０に表示する（Ｓ６２０）。色補正部１５０を通じて、映像獲得装置１２０が撮影して獲得した被写体４０，５０の映像信号が制御部１６０に伝送され、制御部１６０は、表示部１８０を駆動して、映像獲得装置１２０が撮影して獲得した被写体４０，５０の映像が画面１０に表示されるようにする。
【００５６】
次に、ユーザの入力を受信する（Ｓ６３０）。ユーザは、表示装置１、または表示装置１に適用されるリモコンに形成されるクリックボタン、またはタッチパネルなどを用いて、プロファイル情報を入力する。このとき、ユーザは、予め格納されたプロファイル情報を選択したり、または輝度、色域、ガンマ、色温度のうち少なくとも一つを含む情報を入力することができる。
【００５７】
次に、ユーザの入力によって、映像獲得装置１２０が撮影して獲得した被写体の色を補正するプロファイルを生成する（Ｓ６４０）。色補正部１５０は、入力部１１０から、ユーザが入力したプロファイル情報を受信する。その後、色補正部１５０は、ユーザが入力したプロファイル情報によって表示部１８０の色を再現するプロファイルを生成する。ここで、生成されるプロファイルは、表示部１８０が最適化された色を再現するようにするためではなく、ユーザの判断によって表示部１８０の色を再現するプロファイルに該当する。
【００５８】
次に、色補正部１５０は、生成したプロファイルを用いて、映像獲得装置１２０が撮影するようになる映像の色を補正する（Ｓ６５０）。すなわち、色補正部１５０は、映像獲得装置１２０から受信される映像信号に対して、前記プロファイルを用いて色を補正する。これによって、映像獲得装置１２０が撮影して獲得した映像は、ユーザが選択した色の特性を再現する。
【００５９】
一方、色補正部１５０は、映像獲得装置１２０が撮影して獲得した被写体の映像の色を補正し、色を補正した被写体の映像が表示部１８０の画面１０に表示され得る。これによって、ユーザは、色を補正した被写体の映像１４，１５を確認することができる。その後、ユーザは、色を補正した被写体の映像１４，１５が、目標とする被写体の映像とほぼ一致する場合、色補正部１５０が生成したプロファイルを決定することができる。また、ユーザは、色を補正した被写体の映像１４，１５が、目標とする被写体の映像と一致しない場合、再びプロファイル情報を入力することができる。これによって、表示装置１は、ユーザの入力を再び受信し、ユーザの入力を受信してプロファイルを生成する過程を繰り返す。すなわち、ユーザは、肉眼で見られる被写体４０，５０の実際の色と、表示部１８０の画面１０に表示される、色を補正した被写体の映像１４，１５とを比較しながら、色を補正するプロファイル情報を調整することができる。
【００６０】
その後、ネットワークを介して、色を補正した映像を伝送することができる（Ｓ６６０）。このとき、映像送信部１９０は、色が補正された映像信号に対して、前処理、エンコーディング、パケット化などを行い、ＭｏＩＰのプロトコルを用いてネットワークを介して伝送することができる。
【００６１】
図７及び図８は、図６の表示装置のユーザからプロファイル情報の入力を受ける過程を概略的に示す図である。
【００６２】
図７を参照すると、映像獲得装置１２０が撮影して獲得した被写体（身体の特定部位）の映像が表示部の画面１０の任意の領域に表示される。また、表示部の画面１０に表示される被写体の映像１４は、色補正部１５０により色を補正した被写体の映像であり得る。すなわち、最初には、映像獲得装置１２０が撮影して獲得した被写体の映像が表示部の画面１０に表示されるが、ユーザの入力によって、映像獲得装置が撮影して獲得した映像の色を補正し、補正された映像を表示部の画面１０に表示することができる。
【００６３】
表示部の画面１０の左側上部には、ユーザが、予め格納されたプロファイル情報を選択できるようにメニュー７０が表示される。予め格納されたプロファイル情報は、設定１〜設定Ｎで構成され、メニュー７０に表示される。ユーザは、一つの設定を選択し、ユーザが選択した設定によって、映像獲得装置１２０が撮影して獲得した映像の色が補正される。
【００６４】
図８を参照すると、映像獲得装置１２０が撮影して獲得した被写体（身体の特定部位）の映像が表示部の画面１０の任意の領域に表示される。また、表示部の画面１０に表示される被写体の映像１４は、色補正部１５０により色を補正した被写体の映像であり得る。すなわち、最初には、映像獲得装置１２０が撮影して獲得した被写体の映像が表示部の画面１０に表示されるが、ユーザの入力によって、映像獲得装置が撮影して獲得した映像の色を補正し、補正された映像を表示部の画面１０に表示することができる。
【００６５】
表示部の画面１０の左側上部には、ユーザがプロファイル情報を直接入力できるように、メニュー８０が表示される。ユーザが直接入力できるプロファイル情報は、輝度、Ｒゲイン、Ｇゲイン、Ｂゲイン、ガンマＲＧＢ、色温度などの項目で構成され、メニュー８０に表示される。ユーザは、一つの項目を選択し、選択した項目に対する値を直接入力する。一方、ユーザは、順次に他の項目を選択して値を入力することができる。さらに、ユーザが入力したプロファイル情報によって、映像獲得装置１２０が撮影して獲得した映像の色が補正される。
【００６６】
本発明は、上述した実施例に限定されるものではなく、本発明の思想を逸脱しない範囲内で多様に修正及び変形が可能であるということは、この技術の分野における通常の知識を有するにとって自明である。したがって、修正例または変形例は、本発明の特許請求の範囲に属するものと解さねばならない。
【符号の説明】
【００６７】
１１０    入力部
１２０    映像獲得装置
１３０    測色部
１４０    メモリ部
１５０    色補正部
１６０    制御部
１７０    駆動部
１８０    表示部
１９０    映像送信部
【図１】
2013141245.tif 000003
【図２】
2013141245.tif 000004
【図３】
2013141245.tif 000005
【図４】
2013141245.tif 000006
【図５】
2013141245.tif 000007
【図６】
2013141245.tif 000008
【図７】
2013141245.tif 000009
【図８】
2013141245.tif 000010